(57)【要約】【課題】オリジナルの取扱説明書を作成するのに便利な画像処理装置を提供する。【解決手段】複合機である画像処理装置１は、画像処理装置１の操作画面５７が表示されるタッチパネル４３と、タッチパネル４３に表示されている操作画面５７の画像データの記憶を命令する命令キー６５と、命令キー６５の操作により、タッチパネル４３に表示されている操作画面５７の画像データが記憶されるハードディスク２５と、ハードディスク２５に記憶されている操作画面５７の画像データを出力する操作により、当該画像データを出力する出力部（ＭＰＵ３、ＲＡＭ２１及びＬＡＮインターフェース２９等）と、を備える。【選択図】図４
2009194684.tif 000002
【特許請求の範囲】
【請求項１】
コピー、ファクシミリ、スキャナ及びプリンタの少なくとも一つの機能を有する画像処理装置であって、
前記画像処理装置の操作画面が表示される表示部と、
前記表示部に表示されている操作画面の画像データの記憶を命令する命令キーと、
前記命令キーの操作により、前記表示部に表示されている操作画面の画像データが記憶される記憶部と、
前記記憶部に記憶されている操作画面の画像データを出力する操作により、当該画像データを出力する出力部と、を備える
ことを特徴とする画像処理装置。
【請求項２】
前記命令キーは、前記表示部に表示されている操作画面の画像データを前記記憶部に記憶させるモードにおいて、前記表示部に表示されている操作画面に含まれるソフトキーである
ことを特徴とする請求項１に記載の画像処理装置。
【請求項３】
前記命令キーの操作により、前記表示部に表示されている操作画面から前記命令キーを除いた操作画面の画像データが前記記憶部に記憶される
ことを特徴とする請求項２に記載の画像処理装置。
【請求項４】
前記画像処理装置は、前記表示部及びハードキーを含む操作パネルを備え、
前記命令キーの操作により、前記表示部に表示されている操作画面を含む前記操作パネルの画像データが前記記憶部に記憶される
ことを特徴とする請求項１〜３のいずれか一項に記載の画像処理装置。
【発明の詳細な説明】
【技術分野】
【０００１】
本発明は、例えば複合機のような画像処理装置に関する。
【背景技術】
【０００２】
近年、画像処理装置（複合機、複写機等）は多機能化し、それに伴い操作の仕方を説明する取扱説明書が厚くなっている。取扱説明書を読まなくても操作の仕方が分かるように、本体各部の名称及びはたらきを液晶画面に表示する機能を備えた複写機が提案されている（例えば特許文献１参照）。
【０００３】
【特許文献１】特開平６−７５４５４号公報（段落００３１〜段落００３８、第２図）
【発明の開示】
【発明が解決しようとする課題】
【０００４】
画像処理装置は多機能であり、ユーザ毎に使用する機能が異なる。したがって、ユーザは、自己が使用する機能についてだけ説明されているオリジナルの取扱説明書の作成を、画像処理装置の管理者等に依頼することがある。
【０００５】
本発明の目的は、オリジナルの取扱説明書を作成するのに便利な画像処理装置を提供することである。
【課題を解決するための手段】
【０００６】
本発明は、コピー、ファクシミリ、スキャナ及びプリンタの少なくとも一つの機能を有する画像処理装置であって、前記画像処理装置の操作画面が表示される表示部と、前記表示部に表示されている操作画面の画像データの記憶を命令する命令キーと、前記命令キーの操作により、前記表示部に表示されている操作画面の画像データが記憶される記憶部と、前記記憶部に記憶されている操作画面の画像データを出力する操作により、当該画像データを出力する出力部と、を備える。
【０００７】
本発明に係る画像処理装置は、前記命令キーは、前記表示部に表示されている操作画面の画像データを前記記憶部に記憶させるモードにおいて、前記表示部に表示されている操作画面に含まれるソフトキーである、ようにすることができる。
【０００８】
これによれば、命令キーとして機能するハードキーを設ける必要がなくなる。また、操作画面の画像データの記憶モード以外では、操作画面に命令キーが含まれないようにすることができる。
【０００９】
本発明に係る画像処理装置は、前記命令キーの操作により、前記表示部に表示されている操作画面から前記命令キーを除いた操作画面の画像データが前記記憶部に記憶される、ようにすることができる。
【００１０】
これによれば、命令キーを除いた操作画面の画像データを出力することができる。
【００１１】
本発明に係る画像処理装置は、前記表示部及びハードキーを含む操作パネルを備え、前記命令キーの操作により、前記表示部に表示されている操作画面を含む前記操作パネルの画像データが前記記憶部に記憶される、ようにすることができる。
【００１２】
これによれば、操作画面を含む操作パネルの画像データを出力することができるので、オリジナルの取扱説明書において、操作パネルのハードキー等に言及する場合に便利である。
【発明の効果】
【００１３】
本発明に係る画像処理装置によれば、画像処理装置の表示部に表示されている操作画面の画像データを出力することができる。したがって、パソコンでオリジナルの取扱説明書を作成する際にその操作画面の画像を取扱説明書に張り付けることができるので、オリジナルの取扱説明書を作成するのに便利である。
【発明を実施するための最良の形態】
【００１４】
本発明の実施形態について図面を用いて説明する。図１は、本実施形態に係る画像処理装置１の構成を示すブロック図である。画像処理装置１は、コピー、ファクシミリ、スキャナ及びプリンタの機能を有する複合機である。
【００１５】
画像処理装置１は、ＭＰＵ(Micro Processing Unit)３、画像読取部５、画像記録部７、表示部９、操作部１１、モデム１３、ＮＣＵ(Network Control Unit)１５、ＲＯＭ(Read Only Memory)１９、ＲＡＭ(Random Access Memory)２１、画像メモリ２３、ハードディスク２５、コーデック２７、ＬＡＮ(Local Area Network)インターフェース２９等が相互にバス３３で接続された構成を有する。ＭＰＵ３は、画像処理装置１を構成する上記ハードウェアを制御すると共に画像処理装置１の動作に必要なソフトウェアを実行する。
【００１６】
画像読取部５は、ＣＣＤ(Charge Coupled Device)等によって画像（文字、図、写真等）を読み取って画像データとして出力する。画像記録部７は、電子写真方式等のプリンタであり、画像読取部５から出力された画像データやファクシミリ通信により受信した別のファクシミリ機からの画像データを画像に戻し、この画像が記録された用紙を出力する。
【００１７】
表示部９には、画像処理装置１の操作画面が表示される。操作画面は、画像処理装置１における各種の設定（例えば画質）、登録（例えば短縮ダイヤル）及び表示（例えば動作状態、エラー）に利用される。表示部９は、ＬＣＤ(Liquid Crystal Display)、ＣＲＴ(Cathode Ray Tube)等で実現される。操作部１１は、画像処理装置１の操作に必要なキー（テンキー、スタートキー、リセットキー、各種のファンクションキー等）を備える。
【００１８】
モデム１３は、通常のファクシミリ通信用のファクシミリモデムの機能を有する。また、モデム１３は、ＮＣＵ１５と直接に接続されている。ＮＣＵ１５は、公衆交換電話網（ＰＳＴＮ）１７に接続される電話回線と画像処理装置１との接続を制御する機能の他に、通信相手の電話番号に応じたダイヤルパルスを送出する機能及び着信を検出する機能を有する。
【００１９】
ＲＯＭ１９は、フラッシュメモリ等により実現されており、画像処理装置１の動作に必要なソフトウェアを記憶している。ＲＡＭ２１は、ＳＲＡＭ(Static Random Access Memory)、ＤＲＡＭ(Dynamic Random Access Memory)等により実現されている。ＲＡＭ２１は、ソフトウェアの実行時に発生するデータの一時的な記憶及びアプリケーションソフトの記憶等に利用される。
【００２０】
画像メモリ２３は、ＤＲＡＭ等で実現されており、送信すべき画像データ、受信した画像データ及び画像読取部５から出力された画像データ等を一時的に記憶する。ハードディスク２５は、ファクシミリ通信の対象となる画像データ等を記憶する。画像処理装置１ではファクシミリの送信予約情報及び通信管理記録に、通信対象となる画像を含めている。この画像を形成するのにハードディスク２５に記憶されている上記画像データを利用する。
【００２１】
コーデック２７は、画像データを符号化圧縮すると共に符号化圧縮されている画像データを復号する。ＬＡＮインターフェース２９は、画像処理装置１がＬＡＮ３１と通信可能に接続するインターフェースである。ＬＡＮ３１は、複数のパソコン３５と接続されていると共にルータ３７を経由してインターネット３９と接続されている。
【００２２】
図２は、画像処理装置１に備えられる操作パネル４１の平面図である。操作パネル４１は、タッチパネル４３及び各種のハードキー（モード選択キー４５、テンキー４７、スタートキー４９、クリアキー５１、割込みキー５３、リセットキー５５等）を備える。これらは、図１の操作部１１により実現される。各キーは、複合機に備えられるそれらの名称のキーと同様の目的で使用される。例えば、モード選択キー４５は、ファクシミリ、コピー、プリンタ、スキャナのモードを切り替える際に操作する。
【００２３】
ハードキーとは、操作パネル４１に取り付けられたキーのことである。これに対して後で述べるようにソフトウェアによりタッチパネル４３に表示される操作画面５７に含まれるキーをソフトキーと称する。
【００２４】
タッチパネル４３は、図１の表示部９としての機能も有する。図２のタッチパネル４３には、コピーモードのメニューを示す操作画面５７が表示されている。これは、コピーモードの初期画面であり、コピーを選択するモード選択キー４５を操作すると表示される。図２の操作画面５７には、ソフトキー（画質等の設定キー５９）が含まれる。
【００２５】
画像処理装置１は、タッチパネル４３（すなわち表示部９）に表示されている画像処理装置１の操作画面５７の画像データを記憶する機能を有する。この機能について説明する。まず、タッチパネル４３を操作して、操作画面５７を図２に示す初期画面から図３に示す「操作画面の記憶モード」の設定画面に切り替える。
【００２６】
タッチパネル４３の取り消しキー６１を操作して、操作画面５７の画像データの記憶モードがオフ状態であるのを取り消す。次に、タッチパネル４３の「オン」の文字画像に触れて、操作画面の記憶モードをオン状態にするのを選択する。そして、タッチパネル４３の確定キー６３を操作する。
【００２７】
以上の操作により、操作画面５７の画像データの記憶モードがオン状態となり、操作画面５７が図３に示す画面から図４に示す画面に切り替わる。図４の操作画面５７はコピーモードの初期画面を示しているが、記憶の対象となるものであり、コピーの実行に使用するものではない。図４の操作画面５７が図２の操作画面５７と異なるのは、操作画面５７に命令キー６５が含まれることである。
【００２８】
命令キー６５は、タッチパネル４３に表示されている操作画面５７の画像データの記憶を命令するキーである。本実施形態において、命令キー６５は、タッチパネル４３に表示されている操作画面５７の画像データを記憶させるモードにおいて、タッチパネル４３に表示されている操作画面５７に含まれるソフトキーである。このようなソフトキーにすることにより、命令キー６５として機能するハードキーを設ける必要がなくなる。また、操作画面５７の画像データの記憶モード以外（例えば、コピーモードでのコピー画質の設定）では、操作画面５７に命令キー６５が含まれないようにすることができる。
【００２９】
命令キー６５を操作することにより、図４のタッチパネル４３に表示されている操作画面５７から命令キー６５を除いた操作画面５７の画像データが、図１のハードディスク２５に記憶される。これにより、画像処理装置１は、命令キー６５を除いた操作画面５７の画像データを出力することができる。命令キー６５は、操作画面５７の画像データを記憶するモード以外では使用されず、通常の操作（例えばコピー操作）では操作画面５７に含まれない。したがって、オリジナルの取扱説明書に張り付ける操作画面５７に、命令キー６５を含める必要がないので、命令キー６５を除いた操作画面５７の画像データを出力するようにしている。
【００３０】
図１のハードディスク２５には、操作画面５７の画像データ用のフォルダ（図示せず）が予め設定されており、操作画面５７の画像データが所定の形式（例えばジェイペグ）で記憶される。ハードディスク２５は、操作画面５７の画像データを記憶する記憶部として機能する。
【００３１】
次に、例えば、図４の画質の設定キー５９を操作すれば、操作画面５７は図４に示す画面から図５に示す画面に切り替わる。この操作画面５７は、コピーの画質を設定する画面であるが、記憶の対象となるものであり、コピーの画質の設定に使用するものではない。実際にコピーの画質の設定に使用する操作画面との違いは、操作画面５７に命令キー６５が含まれることである。
【００３２】
操作画面５７には、コピーの際の画質の種類を示す「標準」、「高画質」、「超高画質」、「写真」、「車検証」の文字画像が含まれる。ここで「車検証」とは、原稿の背景を読み取らない設定である。車検証等のような地模様及び／又は地色を有する原稿をコピーする時に利用することができる。「車検証」に設定すれば、原稿の背景の読み取りがなされないので、トナーの使用量を減らすことができる。
【００３３】
命令キー６５を操作することにより、図５のタッチパネル４３に表示されている操作画面５７から命令キー６５を除いた操作画面５７の画像データが、図４の操作画面５７の画像データと同様に図１のハードディスク２５に記憶される。
【００３４】
次に、ハードディスク２５に記憶されている操作画面５７の画像データの出力について説明する。この出力を実行する出力部は、図１のＭＰＵ３、ＲＡＭ２１及びＬＡＮインターフェース２９等により実現される。図１に示すパソコン３５のうち例えばパソコン３５Ａを操作して、ハードディスク２５に記憶されている操作画面５７の画像データの出力を命令することにより、当該画像データがパソコン３５Ａへ出力されて、パソコン３５Ａのメモリに記憶される。このメモリに記憶された当該画像データを画像に戻してパソコン３５Ａのディスプレイに表示した例を図６及び図７に示す。
【００３５】
図６は図４に示す操作画面の画像６７であり、図７は図５に示す操作画面の画像６７であるが、いずれも命令キー６５の画像は含まれていない。これは、前述したように、命令キー６５を含まない操作画面５７の画像データが、図１のハードディスク２５に記憶されるからである。
【００３６】
以上説明したように、本実施形態に係る画像処理装置１によれば、タッチパネル４３に表示されている操作画面５７の画像データを、パソコン３５へ出力することができる。したがって、パソコン３５でオリジナルの取扱説明書を作成する際にその操作画面の画像６７を取扱説明書に張り付けることができるので、オリジナルの取扱説明書を作成するのに便利である。
【００３７】
操作画面５７の画像データを記憶する例で説明したが、操作パネル４１の画像データを記憶するようにしてもよい。例えば、図５の命令キー６５を操作することにより、図５のタッチパネル４３に表示されている操作画面５７を含む操作パネル４１の画像データが、図１のハードディスク２５に記憶される。操作画面５７の画像データを記憶する場合と同様の理由により、命令キー６５の画像データは除かれている。上記操作パネル４１の画像データを出力してパソコン３５に記憶し、この記憶した画像データを画像に戻して、パソコン３５のディスプレイに表示したものが、図８に示す操作パネルの画像６９である。
【００３８】
このように、操作画面５７を含む操作パネル４１の画像データを出力できるようにすれば、操作画面を含む操作パネルの画像６９をオリジナルの取扱説明書に張り付けることができる。オリジナルの取扱説明書において、操作パネル４１のハードキー等に言及する場合に便利である。
【００３９】
命令キー６５がソフトキーではなく、図９に示すような操作パネル４１に取り付けられたハードキーでもよい。命令キー６５がハードキーのときは、操作画面５７に命令キー６５は含まれない。
【００４０】
本実施形態では、ハードディスク２５に記憶された操作画面５７の画像データを図１のパソコン３５へ出力する例で説明したが、画像処理装置１と接続可能な外部記憶装置へ出力するようにしてもよい。外部記憶装置の具体例として、ＭＯ(Magnet Optical)、ＣＤ(Compact Disc)、ＵＳＢ(Universal Serial Bus)メモリのようなメモリカード、外付けのハードディスクドライブ等が挙げられる。
【００４１】
本実施形態は、画像処理装置１として複合機を例に説明した。本発明に適用できる画像処理装置としては、例えばファクシミリ専用機、コピー専用機、スキャナ専用機、プリンタ専用機でもよい。
【図面の簡単な説明】
【００４２】
【図１】本実施形態に係る画像処理装置１の構成を示すブロック図である。
【図２】本実施形態に係る画像処理装置１において、操作画面５７として、コピーモードの初期画面がタッチパネル４３に表示された操作パネル４１の平面図である。
【図３】本実施形態に係る画像処理装置１において、操作画面５７として、「操作画面の記憶モード」についての設定画面がタッチパネル４３に表示された操作パネル４１の平面図である。
【図４】本実施形態に係る画像処理装置１において、操作画面５７として、記憶モードでのコピーモードの初期画面がタッチパネル４３に表示された操作パネル４１の平面図である。
【図５】本実施形態に係る画像処理装置１において、操作画面５７として、記憶モードでのコピーモードの画質の設定画面がタッチパネル４３に表示された操作パネル４１の平面図である。
【図６】図４の操作画面の画像６７を示す図である。
【図７】図５の操作画面の画像６７を示す図である。
【図８】図５の操作パネルの画像６９を示す図である。
【図９】本実施形態に係る画像処理装置１において、命令キー６５がハードキーである例の操作パネル４１の平面図である。
【符号の説明】
【００４３】
１・・・画像処理装置、３・・・ＭＰＵ、５・・・画像読取部、７・・・画像記録部、９・・・表示部、１１・・・操作部、１３・・・モデム、１５・・・ＮＣＵ、１７・・・公衆交換電話網、１９・・・ＲＯＭ、２１・・・ＲＡＭ、２３・・・画像メモリ、２５・・・ハードディスク、２７・・・コーデック、２９・・・ＬＡＮインターフェース、３１・・・ＬＡＮ、３３・・・バス、３５(３５Ａ)・・・パソコン、３７・・・ルータ、３９・・・インターネット、４１・・・操作パネル、４３・・・タッチパネル、４５・・・モード選択キー、４７・・・テンキー、４９・・・スタートキー、５１・・・クリアキー、５３・・・割込みキー、５５・・・リセットキー、５７・・・操作画面、５９・・・設定キー、６１・・・取消しキー、６３・・・確定キー、６５・・・命令キー、６７・・・操作画面の画像、６９・・・操作パネルの画像
【図１】
2009194684.tif 000003
【図２】
2009194684.tif 000004
【図３】
2009194684.tif 000005
【図４】
2009194684.tif 000006
【図５】
2009194684.tif 000007
【図６】
2009194684.tif 000008
【図７】
2009194684.tif 000009
【図８】
2009194684.tif 000010
【図９】
2009194684.tif 000011